(57)【要約】【課題】中継ノードによる中継段数を処理通信情報量の面からの制約を受けることなく自由に設定でき、長距離多段中継通信を可能とする、新しい無線通信ネットワークを構築する複数の中継ノードの形成に供することができるものとする。【解決手段】一時メモリ部１５及び主メモリ部１７を管理する一時管理部１６及び主管理部１８と動作制御部２０とを備え、動作制御部２０が、両管理部に、入力データフレームを、転送モード情報及び特定の識別情報と主メモリ部１７に保存された履歴情報とに基づいて設定される、拡散，浸透もしくは収束転送モードをあらわす転送モード情報が配されたデータフレームとなし、転送モード情報が拡散もしくは収束転送モードをあらわすものについては、中継の対象とし、転送モード情報が浸透転送モードをあらわすものについては、所定の確率のもとに中継の対象もしくは廃棄の対象とする制御を行わせる。【選択図】図６
2006345334.tif 000002
【特許請求の範囲】
【請求項１】
入力通信信号を受信して入力情報信号を得るとともに出力情報信号に基づく出力通信信号を送信する送受信部と、
上記入力情報信号にフレーム化処理を施して、ヘッダ領域と情報領域とを含んだフレームを構成する第１のフレーム化データを得るとともに、処理済ヘッダ領域と情報領域とを含んだフレームを構成する第２のフレーム化データにフレーム分解処理を施して上記出力情報信号を得るフレーム処理部と、
上記第１のフレーム化データを一時的に格納し、また、上記第２のフレーム化データを一時的に格納するとともに上記フレーム処理部へと排出する一時メモリ部と、
該一時メモリ部に格納された上記第１のフレーム化データが構成するフレームに含まれるヘッダ領域に配された識別情報を格納し、必要に応じて履歴情報として保存するとともに、格納された識別情報もしくは該格納された識別情報に変更処理が加えられた情報を、処理済識別情報として上記第２のフレーム化データが構成するフレームに含まれる処理済ヘッダ領域に配されるべく上記一時メモリ部へと排出する主メモリ部と、
上記一時メモリ部における上記第１のフレーム化データ及び第２のフレーム化データの一時的格納を制御する一時管理部と、
上記主メモリ部における上記識別情報の格納，上記履歴情報の保存及び上記処理済識別情報の排出を制御する主管理部と、
上記一時管理部及び主管理部に、上記フレーム処理部からの上記第１のフレーム化データが構成するフレームが検出されるとき、検出されたフレームを、該フレームに含まれるヘッダ領域に配された転送モード情報及び特定の識別情報と上記主メモリ部に保存された履歴情報とに基づいて設定される、拡散転送モード，浸透転送モード及び収束転送モードのいずれかをあらわす転送モード情報が配されたヘッダ領域を含んだフレームとなすとともに、上記拡散転送モードもしくは上記収束転送モードをあらわす転送モード情報が配されたヘッダ領域を含んだフレームについては、上記第２のフレーム化データとして上記一時メモリ部から上記フレーム処理部に排出されるものとなし、上記浸透転送モードをあらわす転送モード情報が配されたヘッダ領域を含んだフレームについては、所定の確率のもとに上記第２のフレーム化データとして上記一時メモリ部から上記フレーム処理部に排出されるものあるいは廃棄されるものとなす制御、もしくは、上記検出されたフレームを、該フレームに含まれるヘッダ領域に配された転送モード情報及び特定の識別情報と上記主メモリ部に保存された履歴情報とに応じて廃棄する制御とを行わせる動作制御部と、
を備えて成り、
上記拡散転送モードが、該拡散転送モードをあらわす転送モード情報が配されたヘッダ領域を含んだフレ−ムは、送信元から発信されたフレームあるいは拡散的送信がなされたフレームであることになるものとされ、上記浸透転送モードが、該浸透転送モードをあらわす転送モード情報が配されたヘッダ領域を含んだフレ−ムは、確率的送信がなされたフレームであることになるものとされ、上記収束転送モードが、該収束転送モードをあらわす転送モード情報が配されたヘッダ領域を含んだフレ−ムは、送信先に向けての収束的送信がなされたフレームであることになるものとされる通信装置。
【請求項２】
上記特定の識別情報が、送信元あるいは送信先をあらわす識別情報もしくは上記検出されたフレームについての発信後の送信がなされるごとに変化する値をあらわす識別情報とされることを特徴とする請求項１記載の通信装置。
【請求項３】
上記動作制御部が、一時管理部及び主管理部に、上記検出されたフレームを、該フレームに含まれるヘッダ領域に配された転送モード情報及び特定の識別情報と上記主メモリ部に保存された履歴情報とに基づいて設定される、拡散転送モード，浸透転送モード及び収束転送モードのいずれかをあらわす転送モード情報が配されたヘッダ領域を含んだものとなすにあたり、上記検出されたフレームに含まれるヘッダ領域に配された転送モード情報を変化させない制御、もしくは、上記検出されたフレームに含まれるヘッダ領域に配された転送モード情報を該転送モード情報とは異なる転送モード情報に変更する制御を行わせることを特徴とする請求項１記載の通信装置。
【請求項４】
上記動作制御部が、上記検出されたフレームがヘッダ領域に収束転送モードをあらわす転送モード情報が配されたものであるとき、上記一時管理部及び主管理部に、上記検出されたフレームにおけるヘッダ領域に配された送信先についての識別情報と上記主メモリ部に保存された履歴情報とに応じて、上記検出されたフレームを、送信先に送信されるべきものとなす制御、あるいは、ヘッダ領域に収束転送モードをあらわす転送モード情報が配されたものとなすとともに、上記第２のフレーム化データとして上記一時メモリ部から上記フレーム処理部に排出されるものとなす制御を行わせることを特徴とする請求項１記載の通信装置。
【請求項５】
上記動作制御部が、上記検出されたフレームがヘッダ領域に浸透転送モードをあらわす転送モード情報が配されたものであるとき、上記一時管理部及び主管理部に、上記検出されたフレームにおけるヘッダ領域に配された送信先についての識別情報と上記主メモリ部に保存された履歴情報とに応じて、上記検出されたフレームを、ヘッダ領域に収束転送モードをあらわす転送モード情報が配されたものとなすとともに、上記第２のフレーム化データとして上記一時メモリ部から上記フレーム処理部に排出されるものとなす制御、あるいは、ヘッダ領域に浸透転送モードをあらわす転送モード情報が配されたものとなすとともに、所定の確率のもとに上記第２のフレーム化データとして上記一時メモリ部から上記フレーム処理部に排出されるものあるいは廃棄されるものとなす制御を行わせることを特徴とする請求項１記載の通信装置。
【請求項６】
上記動作制御部が、一時管理部及び主管理部に、上記フレーム処理部からの上記第１のフレーム化データが構成するフレームが反射フレームあるいは重複フレームとして検出されたときには、検出された上記フレームを廃棄する制御を行わせることを特徴とする請求項１記載の通信装置。
【発明の詳細な説明】
【技術分野】
【０００１】
本願の特許請求の範囲に記載された発明は、例えば、複数の通信端末装置の相互間通信を可能とする通信ネットワークにおいて、通信対象とされる情報信号を必要に応じて中継する中継ノードの形成に供することができる通信装置に関する。
【背景技術】
【０００２】
複数の携帯電話機あるいはパーソナルコンピュータ等とされる通信端末装置の相互間における情報信号の交換を図る通信は、予め構築された通信ネットワークを通じて、無線方式あるいは有線方式をもって行われる。このような通信ネットワークの比較的新しい形態を成すものとして、メッシュ・ネットワークと称されるものが提案されている。
【０００３】
メッシュ・ネットワークは、中央管理機能を果たす基地ノードとその支配下に置かれる複数の中継ノードとが配されて構築される通信ネットワークとは異なり、中央管理機能を果たす基地ノードに相当するものは無く、複数の中継ノードが、夫々の通信エリアを相互にオーバーラップさせるもとで順次隣接するものとして配され、それにより、通信路を網目状に広げていくようにされた通信ネットワークである。そして、メッシュ・ネットワークにあっては、例えば、ある中継ノードに障害が発生して一旦通信が中断しても、他の中継ノードを経由しての通信の復旧を図ることができる、さらには、新たな中継ノードをネットワークに追加することが容易である等々の利点が得られる。
【０００４】
斯かるメッシュ・ネットワークにおいて、通信端末装置と中継ノードとの間の通信及び中継ノード間の通信を無線通信により行うものは、所謂、無線メッシュ・ネットワークと称される。無線メッシュ・ネットワークについては、既に、種々の改良技術が提案されている。このような改良技術としては、例えば、無線メッシュ・ネットワークにおける中継ノード間において送受される通信信号について、その信号レート, 変調態様，周波数帯域等々の信号特性を中継ノードの受信性能に応じて変更することにより、ネットワークにおける一定時間内の情報処理量を拡大させるようにすることが挙げられる（例えば、特許文献１参照。）。また、無線メッシュ・ネットワークを構築する複数の中継ノードの夫々を、指向性アンテナシステムを備えるものとし、中継ノード間における無線通信に応じて、当該中継ノードにおける指向性アンテナシステムにより設定されるアンテナ指向性を選定することにより、ネットワークにおける通信効率を向上させるようにすることも挙げられる（例えば、特許文献２参照。）。
【０００５】
【特許文献１】米国特許第６，４８０，４９７号明細書
【特許文献２】米国特許第６，６４０，０８７号明細書
【発明の開示】
【発明が解決しようとする課題】
【０００６】
上述のような従来提案された技術に基づく無線メッシュ・ネットワークにあっては、中継ノードによる中継段数は、中継ノード間において送受される通信経路情報の量の面からの制約を受けて、通常１０数段以下、最大でも２０段程度とされている。そして、中継ノードによる中継の段数を、例えば、２０段を超えるものとなるように増加させて、長距離に亙る多段中継通信が行われるようにし、それにより長距離通信を実現させるということは、中継ノード間において送受される通信経路情報の量が著しく大となって処理しきれなくなってしまう虞があることから、極めて困難であった。
【０００７】
このような、従来の無線メッシュ・ネットワークにおいて長距離通信の障害となる中継ノードによる中継段数についての制約は、主として、従来の無線メッシュ・ネットワークを構築している中継ノードに採用されている、個々の通信端末装置間通信について常に最適な中継経路を求めるというアルゴリズムに起因していると考えられる。それゆえ、上述の中継ノードによる中継段数についての制約の問題は、結局のところ、無線メッシュ・ネットワークを構築する複数の中継ノードの夫々が果たすべきこととして具えている機能に起因してもたらされていることになる。
【０００８】
斯かる点に鑑み、本願の特許請求の範囲に記載された発明は、無線メッシュ・ネットワークが本来具える利点を具え、それに加えて、中継ノードによる中継段数が、処理通信情報量の面からの制約を受けることなく自由に設定され得るものとされ、それにより、長距離に亙る多段中継通信が可能とされて長距離通信が実現されることになる、新しい無線通信ネットワークを構築できる複数の中継ノードの夫々の形成に供することができる通信装置を提供する。
【課題を解決するための手段】
【０００９】
本願の特許請求の範囲における請求項１から請求項６までのいずれかに記載された発明（以下、本発明という。）に係る通信装置は、入力通信信号を受信して入力情報信号を得るとともに出力情報信号に基づく出力通信信号を送信する送受信部と、入力情報信号にフレーム化処理を施して、ヘッダ領域と情報領域とを含んだフレームを構成する第１のフレーム化データを得るとともに、処理済ヘッダ領域と情報領域とを含んだフレームを構成する第２のフレーム化データにフレーム分解処理を施して出力情報信号を得るフレーム処理部と、第１のフレーム化データを一時的に格納し、また、第２のフレーム化データを一時的に格納するとともにフレーム処理部へと排出する一時メモリ部と、一時メモリ部に格納された第１のフレーム化データが構成するフレームに含まれるヘッダ領域に配された識別情報を格納し、必要に応じて履歴情報として保存するとともに、格納された識別情報もしくはそれに変更処理が加えられた情報を、処理済識別情報として第２のフレーム化データが構成するフレームに含まれる処理済ヘッダ領域に配されるべく一時メモリ部へと排出する主メモリ部と、一時メモリ部における第１のフレーム化データ及び第２のフレーム化データの一時的格納を制御する一時管理部と、主メモリ部における識別情報の格納，履歴情報の保存及び処理済識別情報の排出を制御する主管理部と、一時管理部及び主管理部に、フレーム処理部からの第１のフレーム化データが構成するフレームが検出されるとき、検出されたフレームを、それにおけるヘッダ領域に配された転送モード情報及び特定の識別情報と主メモリ部に保存された履歴情報とに基づいて設定される、拡散転送モード，浸透転送モード及び収束転送モードのいずれかをあらわす転送モード情報が配されたヘッダ領域を含んだフレームとなすとともに、拡散転送モードもしくは収束転送モードをあらわす転送モード情報が配されたヘッダ領域を含んだフレームについては、第２のフレーム化データとして一時メモリ部からフレーム処理部に排出されるものとなし、浸透転送モードをあらわす転送モード情報が配されたヘッダ領域を含んだフレームについては、所定の確率のもとに第２のフレーム化データとして一時メモリ部からフレーム処理部に排出されるものあるいは廃棄されるものとなす制御、もしくは、検出されたフレームを、それにおけるヘッダ領域に配された転送モード情報及び特定の識別情報と主メモリ部に保存された履歴情報とに応じて廃棄する制御とを行わせる動作制御部とを備えて構成される。そして、斯かる構成のもとで、拡散転送モードが、それをあらわす転送モード情報が配されたヘッダ領域を含んだフレ−ムは、送信元から発信されたフレームあるいは拡散的送信がなされたフレームであることになるものとされ、また、浸透転送モードが、それをあらわす転送モード情報が配されたヘッダ領域を含んだフレ−ムは、確率的送信がなされたフレームであることになるものとされ、さらに、収束転送モードが、それをあらわす転送モード情報が配されたヘッダ領域を含んだフレ−ムは、送信先に向けての収束的送信がなされたフレームであることになるものとされる。
【００１０】
上述の特定の識別情報は、例えば、送信元あるいは送信先をあらわす識別情報もしくは検出されたフレームについての発信後の送信がなされるごとに変化する値をあらわす識別情報とされる。
【００１１】
上述のように構成される本発明に係る通信装置にあっては、動作制御部による制御を受ける一時管理部及び主管理部が、送受信部からの入力情報信号に基づいてフレーム処理部から得られる第１のフレーム化データが構成するフレームが検出されるとき、その検出されたフレームにおけるヘッダ領域に配された転送モード情報及び特定の識別情報と主メモリ部に保存された履歴情報とに基づいて、検出されたフレームにおけるヘッダ領域に配されるべき転送モード情報を設定し、検出されたフレームを、そのヘッダ領域に設定された転送モード情報が配されたフレームとしたうえで、そのフレームを、その設定された転送モード情報に応じて、第２のフレーム化データとして一時メモリ部からフレーム処理部に排出されるもの、あるいは、所定の確率のもとに第２のフレーム化データとして一時メモリ部からフレーム処理部に排出されるものあるいは廃棄されるものとなす制御、もしくは、検出されたフレームを、それにおけるヘッダ領域に配された転送モード情報及び特定の識別情報と主メモリ部に保存された履歴情報とに応じて廃棄する制御を行う。そして、設定された転送モード情報が配されたヘッダ領域を含んだフレームが第２のフレーム化データとして一時メモリ部からフレーム処理部に排出されるときには、フレーム処理部がその第２のフレーム化データに基づく出力情報信号を送受信部に供給し、送受信部からその出力情報信号に基づく出力通信信号が送信され、それによって、検出されたフレームが、設定された転送モード情報が配されたヘッダ領域を含んだフレームとして転送されることになる。
【００１２】
斯かる際、一時管理部及び主管理部により設定される転送モード情報は、それをあらわす転送モード情報が配されたヘッダ領域を含んだフレ−ムは、送信元から発信されたフレームあるいは拡散的送信がなされたフレームであることになるものとされる拡散転送モード，それをあらわす転送モード情報が配されたヘッダ領域を含んだフレ−ムは、確率的送信がなされたフレームであることになるものとされる浸透転送モード、及び、それをあらわす転送モード情報が配されたヘッダ領域を含んだフレ−ムは、送信先に向けての収束的送信がなされたフレームであることになるものとされる収束転送モードのうちのいずれかとされる。そして、設定された転送モード情報が拡散転送モードもしくは収束転送モードとされたフレームは、第２のフレーム化データとして一時メモリ部からフレーム処理部に排出されるものとされ、設定された転送モード情報が浸透転送モードとされたフレームは、所定の確率のもとに第２のフレーム化データとして一時メモリ部からフレーム処理部に排出されるものあるいは廃棄されるものとされる。
【００１３】
そして、検出されたフレームが、そのヘッダ領域に設定された転送モード情報が配されたフレームとされるにあたっては、一時管理部及び主管理部による、例えば、検出されたフレームにおけるヘッダ領域に配された転送モード情報を変化させない制御、もしくは、検出されたフレームにおけるヘッダ領域に配された転送モード情報をそれとは異なる転送モード情報に変更する制御が行われる。
【発明の効果】
【００１４】
このようにして、本発明に係る通信装置にあっては、受信された入力通信信号に基づいて得られるヘッダ領域と情報領域とを含んだフレームが検出されるとき、そのフレームが、転送されるべきものである場合には、拡散転送モード，浸透転送モードあるいは収束転送モードをあらわす転送モード情報が配されたヘッダ領域を含んだフレームとして転送され、また、転送される必要がないものである場合には、廃棄されることになる動作が、自律的に行われる。そして、このような動作は、受信された入力通信信号に基づいて得られるヘッダ領域と情報領域とを含んだフレームに関する通信経路情報の通信が必要とされることなく、また、当該フレームについての転送回数（転送段数）の如何に関わらず実行される。
【００１５】
それゆえ、本発明に係る通信装置が、無線メッシュ・ネットワークにおける複数の中継ノードの夫々を形成するものとされるときには、送信元からの通信情報が、中継ノードによる中継を、その段数が処理通信情報量の面からの制約を受けることなく自由に設定され得るもとで受けるものとされて、送信先に到達せしめられる。それにより、送信元からの通信情報についての長距離に亙る多段中継通信が可能とされ、長距離通信が実現されることになる。
【００１６】
従って、本発明に係る通信装置は、無線メッシュ・ネットワークが本来具える利点を具え、それに加えて、中継ノードによる中継段数が、処理通信情報量の面からの制約を受けることなく自由に設定され得るものとされ、それにより、長距離に亙る多段中継通信が可能とされて長距離通信が実現されることになる、新しい無線通信ネットワークを構築できる複数の中継ノードの夫々の形成に供することができるものとなる。
【発明を実施するための最良の形態】
【００１７】
本発明を実施するための最良の形態は、以下に述べられる本発明についての適用例及び実施例をもって説明される。
【００１８】
図２は、本発明に係る通信装置の一例が適用されて形成された複数の中継ノードによっって構築された無線通信ネットワークの例を示す。
【００１９】
図２に示される無線通信ネットワークにあっては、夫々が“ND”と表示されるものとされた複数の中継ノード１１ａ〜１１ｉ〜１１nxが、互いに隣接するもの同士が各々の通信可能域を相互にオーバーラップさせて配されている。このような中継ノード１１ａ〜１１ｉ〜１１nxのうちの矢印によって結ばれているものが、相互間通信が行われるものである。そして、中継ノード１１ａ〜１１ｉ〜１１nxの各々は、それに到来する通信信号に関連した履歴情報等がメモリ手段に格納されて形成されるデータベースＤＢを備えている（履歴情報等については後述される。）。
【００２０】
中継ノード１１ａ〜１１ｉ〜１１nxの夫々もしくは中継ノード１１ａ〜１１ｉ〜１１nxのうちの一部のものには、一つもしくは複数個の、例えば、携帯電話機，パーソナルコンピュータ等の通信端末装置が、それに所属するものとして登録されている。各通信端末装置は、それに固有の識別情報によって特定される。
【００２１】
このようなもとで、例えば、送信元とされる通信端末装置ＴＥ１から発せられた通信信号が、中継ノード１１ａによって受信され，中継ノード１１ａから中継ノード１１ｉを経て中継ノード１１nxに向けた通信が行われて、中継ノード１１nxから送信先である通信端末装置ＴＥ２に到達するものとされるとすると、送信元とされる通信端末装置ＴＥ１からの通信信号が、例えば、中継ノード１１ａ→中継ノード１１ｂ→中継ノード１１ｅ→中継ノード１１ｆ→中継ノード１１ｉ→・・・・・→中継ノード１１nxという経路を通じて伝達されて、中継ノード１１nxから送信先である通信端末装置ＴＥ２に送られる。その際、中継ノード１１ａ〜１１ｉ〜１１nxの夫々において、到来する通信信号が、それに含まれる特定の情報に応じて、それに含まれる各種の識別情報がデータベースＤＢに保存された履歴情報等が参照されて処理されるものとされるもとで、他の中継ノードあるいは通信端末装置へと送り出され、それにより通信信号が中継されていく状態、もしくは、中継されることなく廃棄される状態がとられる。
【実施例】
【００２２】
図１は、図２に示される中継ノード１１ａ〜１１ｉ〜１１nxの夫々を形成することができる、本発明に係る通信装置の一例を示す。
【００２３】
図１に示される例においては、通信端末間送受信部１２と複数の中継ノード間送受信部１３ａ〜１３ｎとが備えられている。通信端末間送受信部１２は、図１に示される例により形成される中継ノードに所属するものとして登録されている通信端末装置との間における通信を行う送受信部であって、当該通信端末装置からの入力通信信号を受信するとともに、出力通信信号を当該通信端末装置へと送信する。また、中継ノード間送受信部１３ａ〜１３ｎの夫々は、図１に示される例により形成される中継ノードに隣接する他の中継ノードとの間における通信を行う送受信部であって、当該他の中継ノードからの入力通信信号を受信するとともに、出力通信信号を当該他の中継ノードへと送信する。
【００２４】
通信端末間送受信部１２及び中継ノード間送受信部１３ａ〜１３ｎの夫々は、入力通信信号を受信すると、受信した入力通信信号に対応した入力情報信号を得、それらをフレーム処理部１４に供給する。
【００２５】
フレーム処理部１４は、通信端末間送受信部１２あるいは中継ノード間送受信部１３ａ〜１３ｎのいずれかからの入力情報信号に対するフレーム化処理を行って、中継フレームヘッダ領域とフレームヘッダ領域とそれに続く情報領域とを含んだフレームを構成する格納用フレーム化データを、当該入力情報信号に基づくものとして形成する。斯かる場合における格納用フレーム化データが構成するフレームにあっては、中継フレームヘッダ領域に、後述されるＨＥＬＯモードもしくはＳＲＣＤＳＴモードとされるフレームモードや転送モード等をあらわすモード情報とされる識別情報，送信元をあらわす識別情報，送信先をあらわす識別情報，中継ノードを経由する都度、例えば、減少もしくは増加していくように変化する値（以下、バジェット(Budget)という。）をあらわす識別情報等の各種の識別情報が配され、フレームヘッダ領域に、通過した中継ノードに関わる識別情報，送信元についての識別情報、送信先についての識別情報，通過した中継ノードに関わる識別情報等の各種の識別情報が配され、さらに、情報領域に、伝達される通信情報が配される。
【００２６】
バジェットは、例えば、情報信号の送信元において１０００であり、特別な条件がない限り、その後中継ノードを経由するごとに一定の値、例えば、２００ずつ減少していく、正の値，０あるいは負の値をとるものとされる。但し、他の例として、減少していくのではなく増加していくものとされる場合もある。
【００２７】
そして、フレーム処理部１４は、通信端末間送受信部１２からの入力情報信号が供給された場合、及び、中継ノード間送受信部１３ａ〜１３ｎのいずれかからの入力情報信号が供給された場合のいずれにおいても、中継フレームヘッダ領域とフレームヘッダ領域とそれに続く情報領域とを含んだフレームを構成する格納用フレーム化データを、一時メモリ部１５に供給する。
【００２８】
上述の通信端末間送受信部１２，中継ノード間送受信部１３ａ〜１３ｎ、及び、フレーム処理部１４の夫々の動作は、動作制御部２０による制御のもとに行われる。また、一時メモリ部１５における格納用フレーム化データの格納は、一時メモリ部１５に対応するものとして設けられた一時管理部１６による制御動作のもとに行われる。そして、一時管理部１６による制御動作は、動作制御部２０による制御を受けて行われる。
【００２９】
一時管理部１６は、一時メモリ部１５に格納された格納用フレーム化データを、図１に示される例により形成される中継ノード内においてのみ用いられるノード内ヘッダ領域が付加されたものとなす。ノード内ヘッダ領域には、格納用フレーム化データに対する処理状況、例えば、未処理，処理中，処理済等をあらわす識別情報、さらには、処理時点での時間情報や各種フラグ情報等の識別情報が配される。
【００３０】
そして、一時管理部１６は、一時メモリ部１５に格納された格納用フレーム化データにおけるノード内ヘッダ領域，中継フレームヘッダ領域及びフレームヘッダ領域の夫々の識別情報を走査し、ノード内ヘッダ領域の識別情報が、転送情報が更新されたことをあらわしているか否か，中継フレームヘッダ領域の識別情報が、強制転送されるべきこと、もしくは、廃棄可能であることをあらわしているか否か、さらには、フレームヘッダ領域の識別情報が、図１に示される例により形成される中継ノードに所属する通信端末宛の通信情報が存在することをあらわしているか否か等を確認する。その結果、例えば、中継フレームヘッダ領域の識別情報が、強制転送されるべきことをあらわしているときには、一時管理部１６は、一時メモリ部１５に格納された格納用フレーム化データを、排出用フレーム化データとして、それを送信処理に供するべく、一時メモリ部１５からフレーム処理部１４に排出されるものとする。フレーム処理部１４は、一時メモリ部１５から排出された排出用フレーム化データにフレーム分解処理を施し、排出用フレーム化データ基づく出力情報信号を得て、それを中継ノード間送受信部１３ａ〜１３ｎのいずれかに供給する。出力情報信号が供給された中継ノード間送受信部１３ａ〜１３ｎのいずれかは、その出力情報信号に基づく出力通信信号を形成して、それを他の中継ノードへと送信する。それにより、排出用フレーム化データが構成するフレームについての強制中継が行われることになる。
【００３１】
斯かる際におけるフレーム処理部１４及び中継ノード間送受信部１３ａ〜１３ｎのいずれかの動作も、動作制御部２０による制御のもとに行われる。
【００３２】
また、一時管理部１６は、例えば、中継フレームヘッダ領域の識別情報が、強制転送されるべきこと、もしくは、廃棄可能であることをあらわしていないとき、一時メモリ部１５に格納された格納用フレーム化データに含まれる中継フレームヘッダ領域及びフレームヘッダ領域の夫々の識別情報を、一時メモリ部１５から取り出されて主メモリ部１７に格納されるようにする。それにより、主メモリ部１７に、中継フレームヘッダ領域及びフレームヘッダ領域の夫々の識別情報が格納される。斯かる主メモリ部１７における中継フレームヘッダ領域及びフレームヘッダ領域の夫々の識別情報の格納は、主メモリ部１７に対応するものとして設けられた主管理部１８による制御動作のもとに行われる。そして、主管理部１８による制御動作も、動作制御部２０による制御を受けて行われる。
【００３３】
このとき、一時管理部１６は、一時メモリ部１５に格納された格納用フレーム化データに含まれる中継フレームヘッダ領域及びフレームヘッダ領域の夫々の識別情報が主メモリ部１７に格納されるようにするとともに、一時メモリ部１５に残されたノード内ヘッダ領域に、主管理部１８による判断待ちの状態であることをあらわす識別情報を付加する。
【００３４】
主管理部１８は、主メモリ部１７に格納された中継フレームヘッダ領域及びフレームヘッダ領域の夫々の識別情報を、整理された履歴情報として主メモリ部１７内に構築される履歴情報データベースに保存されるようにする。それにより、主メモリ部１７内に構築される履歴情報データベースには、過去において主メモリ部１７に格納された中継フレームヘッダ領域及びフレームヘッダ領域の夫々の識別情報が保存されることになる。
【００３５】
また、主管理部１８は、新たに主メモリ部１７に格納された中継フレームヘッダ領域及びフレームヘッダ領域の夫々の識別情報と、主メモリ部１７内に構築される履歴情報データベースに保存された履歴情報との比較を行う。そして、主管理部１８は、その比較の結果から、例えば、当該中継フレームヘッダ領域及びフレームヘッダ領域の夫々の識別情報が得られることとなった元の入力情報信号の送信元が、図１に示される例により形成される中継ノードに所属する通信端末装置であるか否か，当該中継フレームヘッダ領域及びフレームヘッダ領域の夫々の識別情報が得られることとなった元の入力情報信号の送信先が、図１に示される例により形成される中継ノードに所属する通信端末装置であるか否か，当該中継フレームヘッダ領域及びフレームヘッダ領域の夫々の識別情報が得られることとなった元の入力情報信号が、過去において図１に示される例により形成される中継ノードに到来したことがあるか等々について判定する。
【００３６】
さらに、主管理部１８は、必要に応じ、判定結果に応じて中継フレームヘッダ領域及びフレームヘッダ領域の夫々の識別情報を変更する処理，判定結果に応じたフラッグを中継フレームヘッダ領域及びフレームヘッダ領域の夫々の識別情報に付加する処理等を行い、主メモリ部１７に格納された中継フレームヘッダ領域及びフレームヘッダ領域の夫々の識別情報に必要に応じた変更処理を加える。斯かる変更処理には、中継フレームヘッダ領域の識別情報の一つであるバジェットについての、それがあらわす値を、例えば、２００だけ減少させる処理も含まれる。そして、主管理部１８は、必要に応じた変更処理が加えられた中継フレームヘッダ領域及びフレームヘッダ領域の夫々の識別情報を、処理済識別情報として、主メモリ部１７から一時メモリ部１５へと排出されるものとなす。
【００３７】
従って、主メモリ部１７は、主管理部１８による制御動作のもとに、一時メモリ部１５に格納された格納用フレーム化データに含まれる識別情報を格納して、整理された履歴情報として履歴情報データベースに保存するとともに、格納された識別情報もしくはそれにに変更処理が加えられた情報を処理済識別情報として一時メモリ部１５へと排出し、処理済識別情報の一時メモリ部１５への転送が行われるようにするものとなる。
【００３８】
主メモリ部１７からの処理済識別情報の一時メモリ部１５への転送が行われると、一時管理部１６は、一時メモリ部１５に格納されている、ノード内ヘッダ領域に主管理部１８による判断待ちの状態であることをあらわす識別情報が付加された格納用フレーム化データの中継フレームヘッダ領域及びフレームヘッダ領域に、転送された処理済識別情報を配する。それにより、ノード内ヘッダ領域，処理済識別情報が配された中継フレームヘッダ領域とフレームヘッダ領域とからなる成る処理済ヘッダ領域、及び、通信情報が配された情報領域を含んだフレームを構成する排出用フレーム化データが形成される。そして、一時管理部１６は、状況に応じて、排出用フレーム化データを、それにおけるノード内ヘッダ領域が廃棄され、処理済ヘッダ領域及び情報領域を含んだフレームを構成するものとされて、その送信処理に供されるべく、一時メモリ部１５からフレーム処理部１４に排出されるもの、もしくは、フレーム処理部１４に排出されることなく廃棄されるものとなす。
【００３９】
従って、一時メモリ部１５は、一時管理部１６による制御動作のもとに、フレーム処理部１４から得られる格納用フレーム化データを一時的に格納し、また、処理済識別情報が配された中継フレームヘッダ領域とフレームヘッダ領域とから成る処理済ヘッダ領域及び通信情報が配された情報領域を含んだフレームを構成する排出用フレーム化データを一時的に格納するとともに、状況に応じて、排出用フレーム化データを、その送信処理に供するべく、一時メモリ部１５からフレーム処理部１４に排出する、もしくは、フレーム処理部１４に排出することなく廃棄するものとなる。
【００４０】
フレーム処理部１４は、一時メモリ部１５から排出された排出用フレーム化データが供給されたとき、その排出用フレーム化データにフレーム分解処理を施し、排出用フレーム化データ基づく出力情報信号を得て、それを、排出用フレーム化データに含まれる処理済識別情報に従って、通信端末間送受信部１２あるいは中継ノード間送受信部１３ａ〜１３ｎのうちのいずれかに供給する。出力情報信号が供給された通信端末間送受信部１２あるいは中継ノード間送受信部１３ａ〜１３ｎのうちのいずれかは、その出力情報信号に基づく出力通信信号を形成して、それを図１に示される例により形成される中継ノードに所属する通信端末装置あるいは他の中継ノードへと送信する。それにより、排出用フレーム化データが構成するフレームについての通信端末装置への伝達あるいは他の中継ノードへの中継が行われることになる。
【００４１】
上述のようにして通信情報の中継機能を果たす図１に示される例により形成される中継ノードにおいて、一時管理部１６及び主管理部１８に対する制御を行う動作制御部２０は、一時管理部１６及び主管理部１８に、一時メモリ部１５における格納用フレーム化データ及び排出用フレーム化データの一時的格納についての制御動作，主メモリ部１７における識別情報の格納及び保存及び処理済識別情報の排出、及び、一時メモリ部１５における排出用フレーム化データのフレーム処理部１４への排出についての制御動作に加えて、以下の動作を行わせる。即ち、一時管理部１６及び主管理部１８は、動作制御部２０による制御のもとに、以下に述べられる動作を行うのである。
【００４２】
図１に示される例により形成される中継ノードに到来する入力通信信号に基づいてフレーム処理部１４から得られる格納用フレーム化データが構成するフレームは、存在情報伝達モード（以下、ＨＥＬＯモードという。）のものである場合と、相手探索モード（以下、ＳＲＣＤＳＴモードという。）のものである場合とがある。中継ノードに入力通信信号として到来する通信信号の送信元である通信端末装置は、通信に際して、先ず、それが関わる無線通信ネットワークに対して自分の存在を知らしめるべく、ＨＥＬＯモードのフレームを発信し、その後、通信情報を当該無線通信ネットワークを通じて送信先の通信端末装置に伝えるべくＳＲＣＤＳＴモードのフレームを送出するからである。
【００４３】
ＨＥＬＯモードのフレームは、例えば、図３のＡに示されるように、中継フレームヘッダ領域，フレームヘッダ領域及び情報領域を含むものとされる。但し、情報領域は、実質的に通信情報が無いもの（空）とされる。それゆえ、ＨＥＬＯモードのフレームについては、図３のＡに示される例とは異なって、情報領域自体が無いものとされてもよい。そして、中継フレームヘッダ領域には、図３のＢに示されるように、フレームモードをあらわす識別情報（フレームモード情報：ＦＭ情報），送信元をあらわす識別情報（送信元ＩＤ），バジェットをあらわす識別情報（ＢＤ）及びその他の情報が配される。図３のＢに示される中継フレームヘッダ領域においては、ＦＭ情報が、２ビットデータであって、ＨＥＬＯモードをあらわす“００”とされており、また、送信元ＩＤは、送信元が通信端末装置ＴＥ１であることをあらわし、さらに、ＢＤが、送信元である通信端末装置ＴＥ１についてのバジェットが１０００であることをあらわしている。
【００４４】
一時管理部１６及び主管理部１８は、フレーム処理部１４から得られる格納用フレーム化データが構成するＨＥＬＯモードのフレームが検出されると、それを一時メモリ部１５に一時的に格納されるものとし、さらに、図３のＣに示されるような中継フレームヘッダ領域に配された識別情報を、主メモリ部１７に格納されるものとし、そのうちの送信元ＩＤとＢＤとが、主メモリ部１７内に構築される履歴情報データベースに履歴情報として保存されるものとなす。このようにして、履歴情報データベースに履歴情報として保存される送信元ＩＤとＢＤとは、例えば、後に当該送信元ＩＤがあらわす通信端末装置が送信先とされる情報通信が行われる際に、当該ＢＤがあらわすバジェットが、その送信先までの距離に相当する、送信先についてのバジェットとして用いられる。
【００４５】
続いて、一時管理部１６及び主管理部１８は、主メモリ部１７に格納された中継フレームヘッダ領域に配された識別情報のうちのＢＤを、それがあらわすバジェットを２００だけ減じて、１０００とされたバジェットをあらわすものから８００とされたバジェットをあらわすものに変更する。そして、変更されたＢＤを含んだ中継フレームヘッダ領域に配された識別情報を、処理済識別情報として主メモリ部１７から一時メモリ部１５に排出されるものとする。
【００４６】
それにより、一時メモリ部１５において、図３のＤ及びＥに示されるような、８００とされたバジェットをあらわすＢＤが配された中継フレームヘッダ領域とフレームヘッダ領域とを、処理済ヘッダ領域として含むＨＥＬＯモードのフレームが形成され、斯かるＨＥＬＯモードのフレームを構成する排出用フレーム化データが得られる。そして、一時管理部１６及び主管理部１８は、ＨＥＬＯモードのフレームを構成する排出用フレーム化データを、一時メモリ部１５からフレーム処理部１４に排出されるものとなす。その結果、８００とされたバジェットをあらわすＢＤが配された中継フレームヘッダ領域を含んだフレームに基づく出力通信信号が中継ノード間送受信部１３ａ〜１３ｎのいずれかから送信され、８００とされたバジェットをあらわすＢＤが配された中継フレームヘッダ領域を含んだフレームの中継が行われることになる。
【００４７】
送信元から発信されるＨＥＬＯモードのフレームは、例えば、最初はバジェットを１０００とし、その後中継されるごとにバジェットが、例えば、２００ずつ減じていくものとされる。このとき、動作制御部２０による制御のもとにおかれた一時管理部１６及び主管理部１８は、一時メモリ部１５において形成される処理済ヘッダ領域を含んだＨＥＬＯモードのフレームが、その処理済ヘッダ領域に配されたＢＤがあらわすバジェットが、０もしくは負の値とされたときには、当該フレームを、中継されることなく、廃棄されるものとなす。
【００４８】
従って、ＨＥＬＯモードのフレームは、送信元から発信される際には、バジェットを、例えば、１０００とし、その後、バジェットが０もしくは負の値とされるまで、中継されるごとにバジェットが２００づつ減少されていき、バジェットが０もしくは負の値とされると、中継されることなく、廃棄されるものとされる。即ち、送信元から発信される際にバジェットが１０００とされたＨＥＬＯモードのフレームは、４回の中継が順次行われてバジェットが２００とされたときには、５回目の中継は行われず、廃棄されるのである。そして、斯かるＨＥＬＯモードのフレームの中継に関与した、図１に示される例により形成される中継ノードには、その主メモリ部１７に構築される履歴情報データベースに、当該ＨＥＬＯモードのフレームに含まれる中継フレームヘッダ領域に配された送信元ＩＤとＢＤとが、履歴情報として保存される。
【００４９】
このようにして、主メモリ部１７に構築される履歴情報データベースには、過去において検出されたことがある、フレーム処理部１４から得られる格納用フレーム化データが構成するＨＥＬＯモードのフレームの夫々についての、それに含まれる中継フレームヘッダ領域に配された送信元ＩＤとＢＤとが、履歴情報として保存される。
【００５０】
一方、ＳＲＣＤＳＴモードのフレームは、例えば、図４のＡ及びＢに示されるように、転送モードをあらわす識別情報（転送モード情報：ＴＭ情報），送信先をあらわす識別情報（送信先ＩＤ），送信先についてのバジェットをあらわす送信先ＢＤ，送信元をあらわす識別情報（送信元ＩＤ），バジェットをあらわすＢＤ、及び、その他の情報が配される中継フレームヘッダ領域，フレームヘッダ領域及び情報領域を含むものとされる。
【００５１】
ＴＭ情報があらわす転送モードは、拡散転送モード，浸透転送モード及び収束転送モードのいずれかとされ、ＴＭ情報は、拡散転送モードを２ビットデータ“１１”をもってあらわし、浸透転送モードを２ビットデータ“１０”をもってあらわし、収束転送モードを２ビットデータ“０１”をもってあらわす。拡散転送モードは、それをあらわすＴＭ情報が配された中継フレームヘッダ領域を含んだＳＲＣＤＳＴモードのフレ−ムが、送信元から発信されたフレーム、あるいは、拡散的送信がなされたフレームであることになるものとされ、また、浸透転送モードは、それをあらわすＦＭ情報が配された中継フレームヘッダ領域を含んだＳＲＣＤＳＴモードのフレ−ムが、確率的送信がなされたフレームであることになるものとされ、さらに、収束転送モードは、それをあらわすＦＭ情報が配された中継フレームヘッダ領域を含んだＳＲＣＤＳＴモードのフレ−ムが、送信先に向けての収束的送信がなされたフレームであることになるものとされる。フレームについての拡散的送信とは、フレームを周囲に広げて行くように送り出す送信をいい、フレームについての確率的送信とは、フレームを所定の確率のもとに送り出すあるいは破棄する送信をいい、フレームについての収束的送信とは、フレームを送信先に向かわせるように送り出す送信をいう。
【００５２】
また、ＢＤは、ＨＥＬＯモードのフレームの場合と同様であって、フレームが送信元から発信されるとき、例えば、１０００とされ、その後フレ−ムが中継されるごとに一定の値、例えば、２００ずつ減じていくバジェットをあらわすものとされる。
【００５３】
図４のＢに示される中継フレームヘッダ領域の例においては、ＦＭモードが、拡散転送モードをあらわす“１１”とされており、送信先ＩＤが、送信先が通信端末装置ＴＥ２であることをあらわし、送信先ＢＤが、送信先についてのバジェットが不明であることをあらわし、送信元ＩＤが、送信元が通信端末装置ＴＥ１であることをあらわし、ＢＤがバジェットが１０００であることをあらわしている。
【００５４】
このようなもとで、動作制御部２０による制御のもとにおかれた一時管理部１６及び主管理部１８が行う、拡散転送モード，浸透転送モード及び収束転送モードのいずれかとされるＳＲＣＤＳＴモードのフレームに対しての制御動作を、図５及び図６に示されるフローチャートを参照して以下に説明する。
【００５５】
一時管理部１６及び主管理部１８は、フレーム処理部１４から得られる格納用フレーム化データが構成する、拡散転送モード，浸透転送モード及び収束転送モードのいずれかとされるＳＲＣＤＳＴモードのフレームが検出されるのを待つ（図５のステップ３１）。そして、ＳＲＣＤＳＴモードのフレームが検出されると、検出されたＳＲＣＤＳＴモードのフレームを一時メモリ部１５に一時的に格納されるものとし、さらに、図４のＣに示されるような中継フレームヘッダ領域に配された識別情報を、主メモリ部１７に格納されるものとし、そのうちの送信先ＩＤ，送信先ＢＤ，送信元ＩＤ及びＢＤが、主メモリ部１７内に構築される履歴情報データベースに履歴情報として保存されるものとなしたうえで、一時メモリ部１５に一時的に格納されたＳＲＣＤＳＴモードのフレームが、反射フレームであるか否かを判断する（図５のステップ３２）。
【００５６】
一時メモリ部１５に一時的に格納されたＳＲＣＤＳＴモードのフレームが反射フレームであるか否かは、一時メモリ部１５に一時的に格納されたＳＲＣＤＳＴモードのフレームが、直前に中継されたＳＲＣＤＳＴモードのフレームと同一であるか否かによって判断する。そして、一時メモリ部１５に一時的に格納されたＳＲＣＤＳＴモードのフレームが、直前に中継されたＳＲＣＤＳＴモードのフレームと同一であるか否かは、一時メモリ部１５に一時的に格納されたＳＲＣＤＳＴモードのフレームに含まれる中継フレームヘッダ領域に配された識別情報と、主メモリ部１７内に構築された履歴情報データベースに保存された、直前に中継されたＳＲＣＤＳＴモードのフレームに含まれる中継フレームヘッダ領域に配された識別情報とを相互比較し、両者が一致するか否かによって判断する。
【００５７】
一時メモリ部１５に一時的に格納されたＳＲＣＤＳＴモードのフレームが反射フレームである場合には、一時メモリ部１５に一時的に格納されたＳＲＣＤＳＴモードのフレームを、中継することなく廃棄する（図５のステップ３３）。また、一時メモリ部１５に一時的に格納されたＳＲＣＤＳＴモードのフレームが反射フレームでないときには、一時メモリ部１５に一時的に格納されたＳＲＣＤＳＴモードのフレームが、重複フレームであるか否かを判断する（図５のステップ３４）。
【００５８】
一時メモリ部１５に一時的に格納されたＳＲＣＤＳＴモードのフレームが重複フレームであるか否かは、一時メモリ部１５に一時的に格納されたＳＲＣＤＳＴモードのフレームが、過去において中継されたＳＲＣＤＳＴモードのフレームと同一であるか否かによって判断する。そして、一時メモリ部１５に一時的に格納されたＳＲＣＤＳＴモードのフレームが、過去において中継されたＳＲＣＤＳＴモードのフレームと同一であるか否かは、一時メモリ部１５に一時的に格納されたＳＲＣＤＳＴモードのフレームに含まれる中継フレームヘッダ領域に配された識別情報と、主メモリ部１７内に構築された履歴情報データベースに保存された、過去において中継されたＳＲＣＤＳＴモードのフレームに含まれる中継フレームヘッダ領域に配された識別情報とを相互比較し、両者が一致するか否かによって判断する。
【００５９】
一時メモリ部１５に一時的に格納されたＳＲＣＤＳＴモードのフレームが重複フレームである場合には、一時メモリ部１５に一時的に格納されたＳＲＣＤＳＴモードのフレームを、中継することなく廃棄する（図５のステップ３３）。また、一時メモリ部１５に一時的に格納されたＳＲＣＤＳＴモードのフレームが重複フレームでないときには、一時メモリ部１５に一時的に格納されたＳＲＣＤＳＴモードのフレームについての、転送モード設定・フレーム処理を行う状態をとる（図５のステップ３５）。
【００６０】
転送モード設定・フレーム処理にあっては、例えば、先ず、一時メモリ部１５に一時的に格納されたＳＲＣＤＳＴモードのフレームに含まれる中継フレームヘッダ領域に配されたＴＭ情報により、一時メモリ部１５に一時的に格納されたＳＲＣＤＳＴモードのフレームが、拡散転送モードのものであるか否かを判断する（図６のステップ４１）。一時メモリ部１５に一時的に格納されたＳＲＣＤＳＴモードのフレームに含まれる中継フレームヘッダ領域に配されたＴＭ情報が、図４のＢに示される中継フレームヘッダ領域の例の場合のように、拡散転送モードをあらわす“１１”とされていて、一時メモリ部１５に一時的に格納されたＳＲＣＤＳＴモードのフレームが拡散転送モードのものであるときには、それに含まれる中継フレームヘッダ領域に配されたＢＤがあらわすバジェットが、一定の値、例えば、２００より大であるか否かを判断する（図６のステップ４２）。
【００６１】
一時メモリ部１５に一時的に格納されたＳＲＣＤＳＴモードのフレームに含まれる中継フレームヘッダ領域に配されたＢＤがあらわすバジェットが、図４のＢに示される中継フレームヘッダ領域に配されたＢＤがあらわすバジェット１０００のように、２００より大であるときには、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在し、それが０より大であるか否かを判断する（図６のステップ４３）。
【００６２】
主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在しないか、あるいは、存在するが０もしくは０より小であるときには、一時メモリ部１５に一時的に格納されたＳＲＣＤＳＴモードのフレームについての転送モード情報を、拡散転送モードをあらわすものに設定する。そして、一時メモリ部１５に一時的に格納されたＳＲＣＤＳＴモードのフレームに含まれる中継フレームヘッダ領域に配されたＴＭ情報を、変更することなく、拡散転送モードをあらわす“１１”とする（図６のステップ４４）。
【００６３】
それに加えて、一時メモリ部１５に一時的に格納されたＳＲＣＤＳＴモードのフレームに含まれる中継フレームヘッダ領域に配されたＢＤがあらわすバジェットを２００だけ減じる。即ち、図４のＢに示される中継フレームヘッダ領域の例の場合のように、ＢＤがあらわすバジェットが１０００であるときには、それを８００にする（図６のステップ４５）。
【００６４】
それにより、一時メモリ部１５に一時的に格納されたＳＲＣＤＳＴモードのフレームは、例えば、図７のＡ及びＢに示されるような、拡散転送モードをあらわす“１１”とされたＴＭ情報，通信端末装置ＴＥ２が送信先であることをあらわす送信先ＩＤ，送信先についてのバジェットが不明であることをあらわす送信先ＢＤ，通信端末装置ＴＥ１が送信元であることをあらわす送信元ＩＤ，例えば、８００とされたバジェットをあらわすＢＤ、及び、他の情報が配された中継フレームヘッダ領域に、フレームヘッダ領域が続いて処理済ヘッダ領域が形成され、さらに、その処理済ヘッダ領域に情報領域が続くものとされる。そして、一時メモリ部１５において、斯かる処理済ヘッダ領域及び情報領域が配されたＳＲＣＤＳＴモードのフレームを構成する排出用フレーム化データが得られる。
【００６５】
続いて、一時メモリ部１５において得られる排出用フレーム化データが構成するＳＲＣＤＳＴモードのフレームに含まれる中継フレームヘッダ領域に配された、通信端末装置ＴＥ２が送信先であることをあらわす送信先ＩＤ，送信先についてのバジェットが不明であることをあらわす送信先ＢＤ，通信端末装置ＴＥ１が送信元であることをあらわす送信元ＩＤ、及び、例えば、８００とされたバジェットをあらわすＢＤを、主メモリ部１７内に構築される履歴情報データベースに保存する（図６のステップ４６）。
【００６６】
そして、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。その結果、拡散転送モードをあらわす“１１”とされたＴＭ情報，通信端末装置ＴＥ２が送信先であることをあらわす送信先ＩＤ，送信先についてのバジェットが不明であることをあらわす送信先ＢＤ，通信端末装置ＴＥ１が送信元であることをあらわす送信元ＩＤ，例えば、８００とされたバジェットをあらわすＢＤ、及び、他の情報が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、拡散転送モードをあらわす“１１”とされたＴＭ情報が配された中継フレームヘッダ領域，フレームヘッダ領域及び情報領域を含んだＳＲＣＤＳＴモードのフレームについての拡散的転送が行われて、当該ＳＲＣＤＳＴモードのフレームの中継が行われることになる（（図６のステップ４７）。
【００６７】
また、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在し、それが０より大であるか否かの判断（図６のステップ４３）の結果、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在し、それが、例えば、２００とされていて０より大であるときには、一時メモリ部１５に一時的に格納されたＳＲＣＤＳＴモードのフレームについての転送モード情報を、収束転送モードをあらわすものに設定する。そして、一時メモリ部１５に一時的に格納されたＳＲＣＤＳＴモードのフレームに含まれる中継フレームヘッダ領域に配されたＴＭ情報を、拡散転送モードをあらわす“１１”から、収束転送モードをあらわす“０１”に変更する（図６のステップ４８）。
【００６８】
続いて、一時メモリ部１５に一時的に格納されたＳＲＣＤＳＴモードのフレームに含まれる送信先ＢＤを、例えば、２００とされる送信先についてのバジェットをあらわすものとする。それに加えて、一時メモリ部１５に一時的に格納されたＳＲＣＤＳＴモードのフレームに含まれる中継フレームヘッダ領域に配されたＢＤがあらわすバジェットを２００だけ減じる。即ち、図４のＢに示される中継フレームヘッダ領域の例の場合のように、ＢＤがあらわすバジェットが１０００であるときには、それを８００にする（図６のステップ４５）。
【００６９】
それにより、一時メモリ部１５に一時的に格納されたＳＲＣＤＳＴモードのフレームは、例えば、図７のＣ及びＤに示されるような、収束転送モードをあらわす“０１”とされたＴＭ情報，通信端末装置ＴＥ２が送信先であることをあらわす送信先ＩＤ，例えば、２００とされる送信先についてのバジェットをあらわす送信先ＢＤ，通信端末装置ＴＥ１が送信元であることをあらわす送信元ＩＤ，例えば、８００とされたバジェットをあらわすＢＤ、及び、他の情報が配された中継フレームヘッダ領域に、フレームヘッダ領域が続いて処理済ヘッダ領域が形成され、さらに、その処理済ヘッダ領域に情報領域が続くものとされる。そして、一時メモリ部１５において、斯かる処理済ヘッダ領域及び情報領域が配されたＳＲＣＤＳＴモードのフレームを構成する排出用フレーム化データが得られる。
【００７０】
次に、一時メモリ部１５において得られる排出用フレーム化データが構成するＳＲＣＤＳＴモードのフレームに含まれる中継フレームヘッダ領域に配された、通信端末装置ＴＥ２が送信先であることをあらわす送信先ＩＤ，例えば、２００とされる送信先についてのバジェットをあらわす送信先ＢＤ，通信端末装置ＴＥ１が送信元であることをあらわす送信元ＩＤ、及び、例えば、８００とされたバジェットをあらわすＢＤを、主メモリ部１７内に構築される履歴情報データベースに保存する（図６のステップ４６）。
【００７１】
そして、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。その結果、収束転送モードをあらわす“０１”とされたＴＭ情報，通信端末装置ＴＥ２が送信先であることをあらわす送信先ＩＤ，例えば、２００とされる送信先についてのバジェットをあらわす送信先ＢＤ，通信端末装置ＴＥ１が送信元であることをあらわす送信元ＩＤ，例えば、８００とされたバジェットをあらわすＢＤ、及び、他の情報が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、収束転送モードをあらわす“０１”とされたＴＭ情報が配された中継フレームヘッダ領域，フレームヘッダ領域及び情報領域を含んだＳＲＣＤＳＴモードのフレームについての収束的転送が行われて、当該ＳＲＣＤＳＴモードのフレームの中継が行われることになる（図６のステップ４７）。
【００７２】
さらに、一時メモリ部１５に一時的に格納されたＳＲＣＤＳＴモードのフレームに含まれる中継フレームヘッダ領域に配されたＢＤがあらわすバジェットが、例えば、２００より大であるか否かの判断（図６のステップ４２）の結果、一時メモリ部１５に一時的に格納されたＳＲＣＤＳＴモードのフレームに含まれる中継フレームヘッダ領域に配されたＢＤがあらわすバジェットが、２００もしくは２００より小であるときには、一時メモリ部１５に一時的に格納されたＳＲＣＤＳＴモードのフレームについての転送モード情報を、浸透転送モードをあらわすものに設定する。そして、一時メモリ部１５に一時的に格納されたＳＲＣＤＳＴモードのフレームに含まれる中継フレームヘッダ領域に配されたＴＭ情報を、拡散転送モードをあらわす“１１”から、浸透転送モードをあらわす“１０”に変更する（図６のステップ４９）。
【００７３】
続いて、浸透転送モードをあらわす“１０”に変更されたＴＭ情報及び他の識別情報が配された中継フレームヘッダ領域，フレームヘッダ領域及び情報領域を含んだＳＲＣＤＳＴモードのフレームに、それを所定の確率のもとに排出用フレーム化データとして一時メモリ部１５からフレーム処理部１４に排出されるものあるいは廃棄されるものとなす制御を行う確率処理を施す（図６のステップ５０）。
【００７４】
確率処理にあたっては、当該ＳＲＣＤＳＴモードのフレームに含まれる中継フレームヘッダ領域に配された送信先ＢＤがあらわすバジェット（ヘッダ送信先バジェット）と、主メモリ部１７内に構築される履歴情報データベースに保存された、当該ＳＲＣＤＳＴモードのフレームに含まれる中継フレームヘッダ領域に配された送信先ＩＤがあらわす送信先（例えば、通信端末装置ＴＥ２）についてのバジェット（保存送信先バジェット）とを比較して、それにより得られる比較結果から、当該ＳＲＣＤＳＴモードのフレームが、例えば、通信端末装置ＴＥ２とされる送信先に近付いているのか、送信先から遠ざかっているのか、あるいは、送信先に近付いても送信先から遠ざかってもいないのかを判別する。
【００７５】
斯かる際には、例えば、比較されるヘッダ送信先バジェットと保存送信先バジェットとが、ヘッダ送信先バジェットの絶対値が保存送信先バジェットの絶対値より大であるとき、当該ＳＲＣＤＳＴモードのフレームが送信先に近付いているとし、ヘッダ送信先バジェットの絶対値が保存送信先バジェットの絶対値より小であるとき、当該ＳＲＣＤＳＴモードのフレームが送信先から遠ざかっているとし、ヘッダ送信先バジェットの絶対値と保存送信先バジェットの絶対値とが等しいとき、当該ＳＲＣＤＳＴモードのフレームが送信先に近付いても送信先から遠ざかってもいないとする。
【００７６】
その結果、当該ＳＲＣＤＳＴモードのフレームが送信先に近付いているときには、当該ＳＲＣＤＳＴモードのフレームについての中継確率（転送確率／浸透確率）を、例えば、１／３に設定された基準確率の２倍、即ち、２／３とし、当該ＳＲＣＤＳＴモードのフレームが送信先から遠ざかっているときには、当該ＳＲＣＤＳＴモードのフレームについての中継確率（転送確率／浸透確率）を、例えば、１／３に設定された基準確率の１／２倍、即ち、１／６とし、当該ＳＲＣＤＳＴモードのフレームが送信先に近付いても送信先から遠ざかってもいないときには、当該ＳＲＣＤＳＴモードのフレームについての中継確率（転送確率／浸透確率）を、例えば、１／３に設定された基準確率とする。
【００７７】
また、主メモリ部１７内に構築される履歴情報データベースに、当該ＳＲＣＤＳＴモードのフレームに含まれる中継フレームヘッダ領域に配された送信先ＩＤがあらわす送信先（例えば、通信端末装置ＴＥ２）についてのバジェット（保存送信先バジェット）が保存されていず、ヘッダ送信先バジェットと保存送信先バジェットとの比較を行うことができない場合には、当該ＳＲＣＤＳＴモードのフレームについての中継確率（転送確率／浸透確率）を、例えば、１（１００パーセント）とする。
【００７８】
そして、このようにして設定した中継確率（転送確率／浸透確率）をもって、当該ＳＲＣＤＳＴモードのフレームを排出用フレーム化データとして一時メモリ部１５からフレーム処理部１４に排出されるものあるいは廃棄されるものとなす。
【００７９】
次に、上述の中継確率（転送確率／浸透確率）のもとに排出用フレーム化データとして一時メモリ部１５からフレーム処理部１４に排出されるものとされたＳＲＣＤＳＴモードのフレームについて、それに含まれる送信先ＢＤを、主メモリ部１７内に構築される履歴情報データベースに保存された、当該ＳＲＣＤＳＴモードのフレームに含まれる中継フレームヘッダ領域に配された送信先ＩＤがあらわす送信先（例えば、通信端末装置ＴＥ２）についてのバジェット（保存送信先バジェット）をあらわすものとする。それに加えて、上述の中継確率（転送確率／浸透確率）のもとに排出用フレーム化データとして一時メモリ部１５からフレーム処理部１４に排出されるものとされたＳＲＣＤＳＴモードのフレームに含まれる中継フレームヘッダ領域に配されたＢＤがあらわすバジェットを、２００だけ減じる。（図６のステップ４５）。
【００８０】
それにより、一時メモリ部１５に一時的に格納されたＳＲＣＤＳＴモードのフレームのうちの、上述の中継確率（転送確率／浸透確率）のもとに排出用フレーム化データとして一時メモリ部１５からフレーム処理部１４に排出されるものとされたものは、例えば、図７のＥ及びＦに示されるような、浸透転送モードをあらわす“１０”とされたＴＭ情報、通信端末装置ＴＥ２が送信先であることをあらわす送信先ＩＤ，例えば、−１２００とされる送信先についてのバジェットをあらわす送信先ＢＤ，通信端末装置ＴＥ１が送信元であることをあらわす送信元ＩＤ，例えば、−４００とされたバジェットをあらわすＢＤ、及び、他の情報が配された中継フレームヘッダ領域に、フレームヘッダ領域が続いて処理済ヘッダ領域が形成され、さらに、その処理済ヘッダ領域に情報領域が続くものとされる。そして、一時メモリ部１５において、斯かる処理済ヘッダ領域及び情報領域が配されたＳＲＣＤＳＴモードのフレームを構成する排出用フレーム化データが得られる。
【００８１】
続いて、一時メモリ部１５において得られる排出用フレーム化データが構成するＳＲＣＤＳＴモードのフレームに含まれる中継フレームヘッダ領域に配された、通信端末装置ＴＥ２が送信先であることをあらわす送信先ＩＤ，例えば、−１２００とされる送信先についてのバジェットをあらわす送信先ＢＤ，通信端末装置ＴＥ１が送信元であることをあらわす送信元ＩＤ、及び、例えば、−４００とされたバジェットをあらわすＢＤを、主メモリ部１７内に構築される履歴情報データベースに保存する（図６のステップ４６）。
【００８２】
そして、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。その結果、浸透転送モードをあらわす“１０”とされたＴＭ情報、通信端末装置ＴＥ２が送信先であることをあらわす送信先ＩＤ，例えば、−１２００とされる送信先についてのバジェットをあらわす送信先ＢＤ，通信端末装置ＴＥ１が送信元であることをあらわす送信元ＩＤ，例えば、−４００とされたバジェットをあらわすＢＤ、及び、他の情報が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、浸透転送モードをあらわす“１０”とされたＴＭ情報が配された中継フレームヘッダ領域，フレームヘッダ領域及び情報領域を含んだＳＲＣＤＳＴモードのフレームについての確率的転送が行われて、当該ＳＲＣＤＳＴモードのフレームの中継が行われることになる（図６のステップ４７）。
【００８３】
これに対して、一時メモリ部１５に一時的に格納されたＳＲＣＤＳＴモードのフレームのうちの、上述の中継確率（転送確率／浸透確率）のもとに廃棄されるものとされたものについては、排出用フレーム化データとして一時メモリ部１５からフレーム処理部１４に排出されるものとすることなく、廃棄処分を施す。
【００８４】
一方、一時メモリ部１５に一時的に格納されたＳＲＣＤＳＴモードのフレームが、拡散転送モードのものであるかの判断（図６のステップ４１）の結果、拡散転送モードのものでない場合には、当該フレームに含まれる中継フレームヘッダ領域に配されたＴＭ情報により、当該フレームが、収束転送モードのものであるか否かを判断する（図６のステップ５１）。その結果、当該フレームに含まれる中継フレームヘッダ領域に配されたＴＭ情報が、例えば、図７のＤに示される中継フレームヘッダ領域の場合のように、収束転送モードをあらわす“０１”とされていて、一時メモリ部１５に一時的に格納されたＳＲＣＤＳＴモードのフレームが収束転送モードのものであるときには、それに含まれる中継フレームヘッダ領域に配された送信先ＩＤがあらわす、例えば、通信端末装置ＴＥ２とされる送信先が、登録された通信端末装置として、それに関する情報が主メモリ部１７内に構築される履歴情報データベースに保存されているものか否かを判断する（図６のステップ５２）。
【００８５】
その結果、一時メモリ部１５に一時的に格納されたＳＲＣＤＳＴモードのフレームに含まれる中継フレームヘッダ領域に配された送信先ＩＤがあらわす、例えば、通信端末装置ＴＥ２とされる送信先が、登録された通信端末装置として、それに関する情報が主メモリ部１７内に構築される履歴情報データベースに保存されているものである場合には、一時メモリ部１５に一時的に格納されたＳＲＣＤＳＴモードのフレームを、通信端末向けの排出用フレーム化データとして、一時メモリ部１５からフレーム処理部１４に排出されるものとなす。その結果、収束転送モードをあらわす“０１”とされたＴＭ情報，通信端末装置ＴＥ２が送信先であることをあらわす送信先ＩＤ等が配された中継フレームヘッダ領域，フレームヘッダ領域及び情報領域を含んだＳＲＣＤＳＴモードのフレームに基づく出力通信信号が、通信端末間送受信部１２から送信され、例えば、通信端末装置ＴＥ２とされる送信先の通信端末装置へのデータ送信が行われることになる（図６のステップ５３）。
【００８６】
また、一時メモリ部１５に一時的に格納されたＳＲＣＤＳＴモードのフレームに含まれる中継フレームヘッダ領域に配された送信先ＩＤがあらわす、例えば、通信端末装置ＴＥ２とされる送信先が、登録された通信端末装置として、それに関する情報が主メモリ部１７内に構築される履歴情報データベースに保存されているものか否かの判断（図６のステップ５２）の結果、一時メモリ部１５に一時的に格納されたＳＲＣＤＳＴモードのフレームに含まれる中継フレームヘッダ領域に配された送信先ＩＤがあらわす、例えば、通信端末装置ＴＥ２とされる送信先が、登録された通信端末装置として、それに関する情報が主メモリ部１７内に構築される履歴情報データベースに保存されているものでない場合には、一時メモリ部１５に一時的に格納されたＳＲＣＤＳＴモードのフレームについての転送モード情報を、収束転送モードをあらわすものに設定する。そして、一時メモリ部１５に一時的に格納されたＳＲＣＤＳＴモードのフレームに含まれる中継フレームヘッダ領域に配されたＴＭ情報を、変更することなく、収束転送モードをあらわす“０１”とする（図６のステップ４８）。
【００８７】
次に、一時メモリ部１５に一時的に格納されたＳＲＣＤＳＴモードのフレームに含まれる中継フレームヘッダ領域に配されたＢＤがあらわすバジェットを２００だけ減じる。（図６のステップ４５）。それにより、一時メモリ部１５に一時的に格納されたＳＲＣＤＳＴモードのフレームは、収束転送モードをあらわす“０１”とされたＴＭ情報，２００だけ減じられたバジェットをあらわす送信先ＢＤ等が配された中継フレームヘッダ領域に、フレームヘッダ領域が続いて処理済ヘッダ領域が形成され、さらに、その処理済ヘッダ領域に情報領域が続くものとされる。そして、一時メモリ部１５において、斯かる処理済ヘッダ領域及び情報領域が配されたＳＲＣＤＳＴモードのフレームを構成する排出用フレーム化データが得られる。
【００８８】
続いて、一時メモリ部１５において得られる排出用フレーム化データが構成するＳＲＣＤＳＴモードのフレームに含まれる中継フレームヘッダ領域に配された、送信先ＩＤ，送信先ＢＤ，送信元ＩＤ及びＢＤを、主メモリ部１７内に構築される履歴情報データベースに保存する（図６のステップ４６）。そして、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。
【００８９】
その結果、収束転送モードをあらわす“０１”とされたＴＭ情報及び他の識別情報が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、収束転送モードをあらわす“０１”とされたＴＭ情報及び他の識別情報が配された中継フレームヘッダ領域，フレームヘッダ領域及び情報領域を含んだＳＲＣＤＳＴモードのフレームについての収束的転送が行われて、当該ＳＲＣＤＳＴモードのフレームの中継が行われることになる（図６のステップ４７）。
【００９０】
さらに、一時メモリ部１５に一時的に格納されたＳＲＣＤＳＴモードのフレームが、収束転送モードのものであるかの判断（図６のステップ５１）の結果、収束転送モードのものでない場合には、一時メモリ部１５に一時的に格納されたＳＲＣＤＳＴモードのフレームは、浸透転送モードのものであることになるので、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす、例えば、通信端末装置ＴＥ２とされる送信先についてのバジェットが存在し、それが０より大であるか否かを判断する（図６のステップ５４）。
【００９１】
その結果、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在しないか、あるいは、存在するが０もしくは０より小であるときには、一時メモリ部１５に一時的に格納されたＳＲＣＤＳＴモードのフレームについての転送モード情報を、浸透転送モードをあらわすものに設定する。そして、一時メモリ部１５に一時的に格納されたＳＲＣＤＳＴモードのフレームに含まれる中継フレームヘッダ領域に配されたＴＭ情報を、変更することなく、浸透転送モードをあらわす“１０”とする（図６のステップ４９）。
【００９２】
続いて、浸透転送モードをあらわす“１０”に変更されたＴＭ情報及び他の識別情報が配された中継フレームヘッダ領域，フレームヘッダ領域及び情報領域を含んだＳＲＣＤＳＴモードのフレームに、それを所定の確率のもとに排出用フレーム化データとして一時メモリ部１５からフレーム処理部１４に排出されるものあるいは廃棄されるものとなす制御を行う確率処理を施す（図６のステップ５０）。斯かる確率処理については、前述の場合と同様に行い、当該ＳＲＣＤＳＴモードのフレームについての中継確率（転送確率／浸透確率）を設定する。そして、このようにして設定した中継確率（転送確率／浸透確率）をもって、当該ＳＲＣＤＳＴモードのフレームを排出用フレーム化データとして一時メモリ部１５からフレーム処理部１４に排出されるものあるいは廃棄されるものとなす。
【００９３】
次に、上述の中継確率（転送確率／浸透確率）のもとに排出用フレーム化データとして一時メモリ部１５からフレーム処理部１４に排出されるものとされたＳＲＣＤＳＴモードのフレームについて、それに含まれる送信先ＢＤを、主メモリ部１７内に構築される履歴情報データベースに保存された、当該ＳＲＣＤＳＴモードのフレームに含まれる中継フレームヘッダ領域に配された送信先ＩＤがあらわす送信先（例えば、通信端末装置ＴＥ２）についてのバジェット（保存送信先バジェット）をあらわすものとする。それに加えて、上述の中継確率（転送確率／浸透確率）のもとに排出用フレーム化データとして一時メモリ部１５からフレーム処理部１４に排出されるものとされたＳＲＣＤＳＴモードのフレームに含まれる中継フレームヘッダ領域に配されたＢＤがあらわすバジェットを、２００だけ減じる。（図６のステップ４５）。
【００９４】
それにより、一時メモリ部１５において、それに一時的に格納されたＳＲＣＤＳＴモードのフレームのうちの、上述の中継確率（転送確率／浸透確率）のもとに排出用フレーム化データとして一時メモリ部１５からフレーム処理部１４に排出されるものとされたものを構成する排出用フレーム化データが得られる。そして、一時メモリ部１５において得られる排出用フレーム化データが構成するＳＲＣＤＳＴモードのフレームに含まれる中継フレームヘッダ領域に配された、送信先ＩＤ，送信先ＢＤ，送信元ＩＤ及びＢＤを、主メモリ部１７内に構築される履歴情報データベースに保存する（図６のステップ４６）。
【００９５】
続いて、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。その結果、浸透転送モードをあらわす“１０”とされたＴＭ情報及び他の識別情報が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、浸透転送モードをあらわす“１０”とされたＴＭ情報及び他の識別情報が配された中継フレームヘッダ領域，フレームヘッダ領域及び情報領域を含んだＳＲＣＤＳＴモードのフレームについての確率的転送が行われて、当該ＳＲＣＤＳＴモードのフレームの中継が行われることになる（図６のステップ４７）。
【００９６】
これに対して、一時メモリ部１５に一時的に格納されたＳＲＣＤＳＴモードのフレームのうちの、上述の中継確率（転送確率／浸透確率）のもとに廃棄されるものとされたものについては、排出用フレーム化データとして一時メモリ部１５からフレーム処理部１４に排出されるものとすることなく、廃棄処分を施す。
【００９７】
一方、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在し、それが０より大であるか否かの判断（図６のステップ５４）の結果、主メモリ部１７内に構築される履歴情報データベースに履歴情報として保存された、一時メモリ部１５に一時的に格納されたＳＲＣＤＳＴモードのフレームに含まれる中継フレームヘッダ領域に配された送信先ＩＤがあらわす送信先についてのバジェットが存在し、それが、０より大であるときには、一時メモリ部１５に一時的に格納されたＳＲＣＤＳＴモードのフレームについての転送モード情報を、収束転送モードをあらわすものに設定する。そして、一時メモリ部１５に一時的に格納されたＳＲＣＤＳＴモードのフレームに含まれる中継フレームヘッダ領域に配されたＴＭ情報を、拡散転送モードをあらわす“１１”から、収束転送モードをあらわす“０１”に変更する（図６のステップ４８）。
【００９８】
続いて、一時メモリ部１５に一時的に格納されたＳＲＣＤＳＴモードのフレームに含まれる中継フレームヘッダ領域に配されたＢＤがあらわすバジェットを２００だけ減じる。（図６のステップ４５）。それにより、一時メモリ部１５に一時的に格納されたＳＲＣＤＳＴモードのフレームは、収束転送モードをあらわす“０１”とされたＴＭ情報及び他の識別情報が配された中継フレームヘッダ領域に、フレームヘッダ領域が続いて処理済ヘッダ領域が形成され、さらに、その処理済ヘッダ領域に情報領域が続くものとされる。そして、一時メモリ部１５において、斯かる処理済ヘッダ領域及び情報領域が配されたＳＲＣＤＳＴモードのフレームを構成する排出用フレーム化データが得られる。そして、一時メモリ部１５において得られる排出用フレーム化データが構成するＳＲＣＤＳＴモードのフレームに含まれる中継フレームヘッダ領域に配された送信先ＩＤ，送信先ＢＤ，送信元ＩＤ及びＢＤを、主メモリ部１７内に構築される履歴情報データベースに保存する（図６のステップ４６）。
【００９９】
次に、一時メモリ部１５において得られる、上述の処理済ヘッダ領域及び情報領域が配されたＳＲＣＤＳＴモードのフレームを構成する排出用フレーム化データを、一時メモリ部１５からフレーム処理部１４に排出されるものとなす。その結果、収束転送モードをあらわす“０１”とされたＴＭ情報及び他の識別情が配された中継フレームヘッダ領域に、フレームヘッダ領域が続いて形成される処理済ヘッダ領域と、情報領域とを含んだＳＲＣＤＳＴモードのフレームに基づく出力通信信号が、中継ノード間送受信部１３ａ〜１３ｎのいずれかから送信され、収束転送モードをあらわす“０１”とされたＴＭ情報及び他の識別情が配された中継フレームヘッダ領域，フレームヘッダ領域及び情報領域を含んだＳＲＣＤＳＴモードのフレームについての収束的転送が行われて、当該ＳＲＣＤＳＴモードのフレームの中継が行われることになる（図６のステップ４７）。
【０１００】
上述のように、図１に示される例により形成される中継ノードにおいては、動作制御部２０が、一時管理部１６及び主管理部１８に、通信端末間送受信部１２もしくは中継ノード間送受信部１３ａ〜１３ｎのいずれかからの入力情報信号に基づいてフレーム処理部１４から得られる格納用フレーム化データが構成するフレームが検出されるとき、その検出されたフレームにおけるヘッダ領域に配された転送モード情報及び特定の識別情報と主メモリ部１７に構築される履歴情報データベースに保存された履歴情報とに基づいて、検出されたフレームにおけるヘッダ領域に配されるべき転送モード情報を、拡散転送モード，浸透転送モード及び収束転送モードのうちのいずれかをあらわすものに設定し、検出されたフレームを、そのヘッダ領域に設定された転送モード情報が配されたフレームとする制御を行わせる。それに加えて、そのフレームを、設定された転送モード情報に応じて、排出用フレーム化データとして一時メモリ部１５からフレーム処理部１４に排出されるもの、あるいは、所定の確率のもとに排出用フレーム化データとして一時メモリ部１５からフレーム処理部１４に排出されるものあるいは廃棄されるものとなす制御、もしくは、検出されたフレームを、それにおけるヘッダ領域に配された転送モード情報及び特定の識別情報と主メモリ部１７に構築される履歴情報データベースに保存された履歴情報とに応じて廃棄する制御をも行わせる。そして、設定された転送モード情報が配されたヘッダ領域を含んだフレームが排出用フレーム化データとして一時メモリ部１５からフレーム処理部１４に排出されるときには、フレーム処理部１４がその排出用フレーム化データに基づく出力情報信号を通信端末間送受信部１２もしくは中継ノード間送受信部１３ａ〜１３ｎのいずれかに供給し、通信端末間送受信部１２もしくは中継ノード間送受信部１３ａ〜１３ｎのいずれかからその出力情報信号に基づく出力通信信号が送信され、それによって、検出されたフレームが、設定された転送モード情報が配されたヘッダ領域を含んだフレームとして転送されることになる。
【０１０１】
このようにして、図１に示される例により形成される中継ノードにあっては、受信された入力通信信号に基づいて得られるヘッダ領域と情報領域とを含んだフレームが検出されるとき、そのフレームが、転送されるべきものである場合には、拡散転送モード，浸透転送モードあるいは収束転送モードをあらわす転送モード情報が配されたヘッダ領域を含んだフレームとして転送され、また、転送される必要がないものである場合には、廃棄されることになる動作が、自律的に行われる。そして、このような動作は、受信された入力通信信号に基づいて得られるヘッダ領域と情報領域とを含んだフレームに関する通信経路情報の通信が必要とされることなく、また、当該フレームについての転送回数（転送段数）の如何に関わらず実行される。
【０１０２】
それゆえ、図１に示される例により形成される中継ノードが、無線メッシュ・ネットワークにおける複数の中継ノードの夫々を形成するものとされるときには、送信元からの通信情報が、中継ノードによる中継を、その段数が処理通信情報量の面からの制約を受けることなく自由に設定され得るもとで受けるものとされて、送信先に到達せしめられる。それにより、送信元からの通信情報についての長距離に亙る多段中継通信が可能とされ、長距離通信が実現されることになる。
【０１０３】
図８は、それを構成する多数の中継ノードの各々が、例えば、上述された図１に示される例により形成されたものとされる無線通信ネットワークにおける、送信元から送信先までの通信信号の中継状態の一例を概念的にあらわす。
【０１０４】
図８においては、通信端末装置ＴＥ１が送信元とされて、別の通信端末装置ＴＥ２が送信先とされており、送信元の通信端末装置ＴＥ１から送信先の通信端末ＴＥ２に向けた通信が行われる。各々がＮＤという文字を囲むものとされた多数の円は、夫々が、図１に示される例により形成された中継ノードをあらわしている。通信が行われる際には、送信元の通信端末装置ＴＥ１からの通信信号に対応するフレーム化データが構成するフレームに含まれる中継フレームヘッダ領域に配されるバジェットは、例えば、初期値を１０００とし、中継ノードを通過するごとに一定の値、例えば、２００だけ減じられるものとされる。
【０１０５】
送信元である通信端末装置ＴＥ１とそれに対して比較的近い位置に配置された複数の中継ノードは、同じノード群に所属している。以下、このようなノード群をクラウド（Cloud)と呼ぶこととする。上述の通信端末装置ＴＥ１とそれに対して比較的近い位置に配された複数の中継ノードが所属するクラウドはクラウドＣｄである。
【０１０６】
クラウドＣｄに所属する複数の中継ノードの一部における、図１に示される主メモリ部１７に構築される履歴情報データベースには、送信元である通信端末装置ＴＥ１に関する情報が、通信端末装置ＴＥ１を登録された通信端末装置と認定するものとして保存されている。そして、クラウドＣｄ内の複数の中継ノードの夫々は、通信端末装置ＴＥ１から発信された通信信号を入力通信信号として受信するとき、通信端末装置ＴＥ１から発信された通信信号に基づいて、図１に示される一時メモリ部１５に一時的に格納されるＳＲＣＤＳＴモードのフレームに含まれる中継フレームヘッダ領域に配されたＢＤがあらわすバジェットが、２００より大であることになるものとされる。
【０１０７】
このようなクラウドＣｄ内の複数の中継ノードは、送信元の通信端末装置ＴＥ１からの通信信号に基づくＳＲＣＤＳＴモードのフレームを、それに含まれる中継フレームヘッダ領域に配された転送モード情報が拡散転送モードをあらわす２ビットデータ“１１”とされる拡散転送モードのものとして、順次中継して拡散させていく、送信元の通信端末装置ＴＥ１からの通信信号に基づくＳＲＣＤＳＴモードのフレームについての拡散的送信を行う。そして、クラウドＣｄの外周縁部に位置する中継ノードは、クラウドＣｄ外に対して、拡散された擬似送信元としての役割を果たす。それゆえ、クラウドＣｄは、拡散クラウドということができる。
【０１０８】
クラウドＣｄの外部には、それに続く中継ノード群であるクラウドＣｐに属する複数の中継ノードが配置されている。クラウドＣｐ内の複数の中継ノードの夫々は、クラウドＣｄを経た通信端末装置ＴＥ１から発信された通信信号を入力通信信号として受信するとき、通信端末装置ＴＥ１から発信された通信信号に基づいて、図１に示される一時メモリ部１５に一時的に格納されるＳＲＣＤＳＴモードのフレームに含まれる中継フレームヘッダ領域に配されたＢＤがあらわすバジェットが、０もしくは０より小（負の値）であることになるものとされる。
【０１０９】
そして、クラウドＣｐ内の複数の中継ノードは、クラウドＣｄの外周縁部に位置して拡散された擬似送信元としての役割を果たす中継ノードを経たものとされる、送信元の通信端末装置ＴＥ１からの通信信号に基づくＳＲＣＤＳＴモードのフレームを、それに含まれる中継フレームヘッダ領域に配された転送モード情報が浸透転送モードをあらわす２ビットデータ“１０”とされる浸透転送モードのものとして、所定の確率のもとに中継して浸透させていく、送信元の通信端末装置ＴＥ１からの通信信号に基づくＳＲＣＤＳＴモードのフレームについての確率的送信を行う。
【０１１０】
即ち、クラウドＣｐ内にあっては、それに所属する中継ノードの夫々において、クラウドＣｄを経た送信元の通信端末装置ＴＥ１からの通信信号に基づくＳＲＣＤＳＴモードのフレームが、それに含まれる中継フレームヘッダ領域に配された送信先ＢＤがあらわすバジェット（ヘッダ送信先バジェット）と、図１に示される主メモリ部１７内に構築される履歴情報データベースに保存された、当該ＳＲＣＤＳＴモードのフレームに含まれる中継フレームヘッダ領域に配された送信先ＩＤがあらわす送信先、即ち、通信端末装置ＴＥ２についてのバジェット（保存送信先バジェット）との比較結果に応じて設定される中継確率をもって、浸透転送モードのフレームとして中継されて浸透していくものとされる状態、あるいは、中継されることなく廃棄されてしまう状態がとられる。このようなクラウドＣｐは、浸透クラウドということができる。
【０１１１】
クラウドＣｐには、送信先である通信端末装置ＴＥ２とそれに対して比較的近い位置に配置された複数の中継ノードが所属するクラウドＣｃが続いている。クラウドＣｃに所属する複数の中継ノードの一部における、図１に示される主メモリ部１７に構築される履歴情報データベースには、送信先である通信端末装置ＴＥ２に関する情報が、通信端末装置ＴＥ２を登録された通信端末装置と認定するものとして保存されている。そして、クラウドＣｃ内の複数の中継ノードの夫々は、通信端末装置ＴＥ１から発信された通信信号を入力通信信号として受信し、受信された入力通信信号に基づいて得られるＳＲＣＤＳＴモードのフレームに基づいて形成される出力通信信号を送信するとき、出力通信信号の形成に供されるＳＲＣＤＳＴモードのフレームに含まれる中継フレームヘッダ領域に配される送信先ＢＤがあらわすバジェットが、一定の値、例えば、２００より大であることになるものとされる。
【０１１２】
このようなクラウドＣｃ内の複数の中継ノードは、送信元の通信端末装置ＴＥ１からの通信信号に基づくＳＲＣＤＳＴモードのフレームを、それに含まれる中継フレームヘッダ領域に配された転送モード情報が収束転送モードをあらわす２ビットデータ“０１”とされる収束転送モードのものとして、送信先である通信端末装置ＴＥ２に向けて順次中継して収束させていく、もしくは、送信先である通信端末装置ＴＥ２へと送り出すこととする、送信元の通信端末装置ＴＥ１からの通信信号に基づくＳＲＣＤＳＴモードのフレームについての、送信先に向けての収束的送信を行う。それゆえ、クラウドＣｃは、収束クラウドということができる。
【０１１３】
このようにして、図８に示される例においては、送信元の通信端末装置ＴＥ１からの通信信号が、クラウドＣｄにおける拡散的送信が行われる状態、クラウドＣｐにおける確率的送信が行われる状態、及び、クラウドＣｃにおける送信先に向けての収束的送信が行われる状態を経て、送信先の通信端末装置ＴＥ２に到達するものとされる。その結果、送信元の通信端末装置ＴＥ１からの通信情報が、各中継ノードによる中継を、その段数が処理通信情報量の面からの制約を受けることなく自由に設定され得るもとで受けるものとされて、送信先の通信端末装置ＴＥ２に到達せしめられ、それにより、送信元からの通信情報についての長距離に亙る多段中継通信が可能とされて、長距離通信が実現されることになる。
【産業上の利用可能性】
【０１１４】
以上のような本発明に係る通信装置は、従前の無線メッシュ・ネットワークの利点を超える利点を具え、それに加えて、中継ノードによる中継段数が、処理通信情報量の面からの制約を受けることなく自由に設定され得るものとされ、それにより、長距離に亙る多段中継通信が可能とされて長距離通信が実現されることになる、新しい無線通信ネットワークを構築できる複数の中継ノードの夫々の形成に供することができるものとして、通信ネットワークに広く適用することができるものである。
【図面の簡単な説明】
【０１１５】
【図１】本発明に係る通信装置の一例を示すブロック構成図である。
【図２】図１に示される通信装置の例が適用されて形成される複数の中継ノードによって構築された無線通信ネットワークの例を示す概念図である。
【図３】図１に示される通信装置の例において扱われるフレーム化データが構成するフレーム及びその部分をあらわすデータフォーマットの一例を示すフォーマット図である。
【図４】図１に示される通信装置の例において扱われるフレーム化データが構成するフレーム及びその部分をあらわすデータフォーマットの一例を示すフォーマット図である。
【図５】図１に示される通信装置の例における一時管理部及び主管理部が動作制御部による制御のもとに行う制御動作の説明に供されるフローチャートである。
【図６】図１に示される通信装置の例における一時管理部及び主管理部が動作制御部による制御のもとに行う制御動作の説明に供されるフローチャートである。
【図７】図１に示される通信装置の例において扱われるフレーム化データが構成するフレーム及びその部分をあらわすデータフォーマットの一例を示すフォーマット図である。
【図８】図１に示される通信装置の例が適用されて形成される複数の中継ノードによって構築された無線通信ネットワークにおける、送信元から送信先までの通信信号の中継状態の一例の説明に供される概念図である。
【符号の説明】
【０１１６】
１１ａ〜１１ｉ〜１１nx・・・中継ノード，  １２・・・通信端末間送受信部，  １３ａ〜１３ｎ・・・中継ノード間送受信部，  １４・・・フレーム処理部，  １５・・・一時メモリ部，  １６・・・一時管理部，  １７・・・主メモリ部，  １８・・・主管理部，  ２０・・・動作制御部
【図１】
2006345334.tif 000003
【図２】
2006345334.tif 000004
【図３】
2006345334.tif 000005
【図４】
2006345334.tif 000006
【図５】
2006345334.tif 000007
【図６】
2006345334.tif 000008
【図７】
2006345334.tif 000009
【図８】
2006345334.tif 000010